(57)【要約】【課題】  取っ手を巧みに利用できるようにして、使い勝手がよいごみ桶を実現することを課題とする。【解決手段】  本体１０と、二つの取っ手２０と、二つの嵌付け具３０とを有する。本体１０は、底部１１と、端口１２とを有し、その底部１１と端口１２との間には桶壁１３が形成されてある。嵌付け具３０は本体１０の端口１２と取っ手２０との間に取り付けてある。二つの取っ手２０は、上へ回されて寄せ合わせることによって使用者が本体１０を持ち上げるときのハンドルとして機能する他に、互いに離れるように外側に回して倒すことによってごみ袋の口の部分を開いて固定する固定具としても使用される。【選択図】  図１
2006264811.tif 000002
【特許請求の範囲】
【請求項１】
桶状であって、端口があり、その端口の両側には二つの互いに対称に設置された結合部が設けてある本体と、
該本体の端口に枢設してある二つの取っ手と、
前記本体の結合部と取っ手の間に取り付けられ、凹溝が設けられ、その凹溝は本体の結合部に結合されている二つの嵌付け具とを有し、
前記二つの取っ手が、上へ回されて寄せ合わせることによって使用者が前記本体を持ち上げるときのハンドルとして機能する他に、互いに離れるように外側に回して倒すことによってごみ袋の固定具として使用される構成としたことを特徴とするごみ桶。
【請求項２】
請求項１に記載のごみ桶において、
前記結合部は、縦方向の長い突起状である構成としたことを特徴とするごみ桶。
【請求項３】
請求項１に記載のごみ桶において、
前記凹溝は、嵌当て部があり、その結合部にはやや突き出した調整部が形成され、その嵌当て部はちょうど結合部の調整部と接触することが可能である構成としたことを特徴とするごみ桶。
【請求項４】
請求項３に記載のごみ桶において、
前記凹溝は、縦方向に嵌付け具の一側に延伸している構成としたことを特徴とするごみ桶。
【請求項５】
請求項１に記載のごみ桶において、
前記嵌付け具は、その嵌付け具を貫通する孔が設けられ、その結合部にも孔が設けられてあり、その孔は結合部の孔に対応し、ねじはそれら孔に通されて本体に結合される構成としたことを特徴とするごみ桶。
【請求項６】
請求項５に記載のごみ桶において、
前記ねじは、ナットによってその嵌付け具を本体の結合部に締め付ける構成としたことを特徴とするごみ桶。
【請求項７】
請求項５に記載のごみ桶において、
前記孔は、その周辺には階段が形成されてあり、その階段はナットの一部の収容に供される構成としたことを特徴とするごみ桶。
【請求項８】
請求項１に記載のごみ桶において、
前記嵌付け具は、その両端にはそれぞれ枢孔が設けられ、その取っ手の両端にはそれぞれ枢接部が形成され、その枢孔は取っ手の枢接部の枢設に供される構成としたことを特徴とするごみ桶。
【請求項９】
桶状であって、端口があり、その端口の両側には二つの互いに対称に設置された嵌付け部が一体に成型されてある本体と、
該本体の端口に枢設してある二つの取っ手とを有し、
前記二つの取っ手が、上へ回されて寄せ合わせることによって使用者が前記本体を持ち上げるときのハンドルとして機能する他に、互いに離れるように外側に回して倒すことによってごみ袋の固定具として使用される構成としたことを特徴とするごみ桶。
【請求項１０】
請求項９に記載のごみ桶において、
前記嵌付け部には二つの枢孔が設けられ、その取っ手の両端にはそれぞれ枢接部が形成され、その二つの枢孔はそれぞれ二つの取っ手の枢接部の枢設に供される構成としたことを特徴とするごみ桶。
【請求項１１】
桶状であって、端口があり、その端口の一側には嵌付け部が一体に成型されてある本体と、
該本体の嵌付け部に枢設してある取っ手とを有し、
前記取っ手が、使用者の握り持ちに供され、或いはごみ袋の固定具に使われる構成としたことを特徴とするごみ桶。
【請求項１２】
請求項１１に記載のごみ桶において、
前記取っ手は、その外形が概して本体端口の輪郭に近似している構成としたことを特徴とするごみ桶。
【請求項１３】
請求項１２に記載のごみ桶において、
前記取っ手は、楕円形の環状である構成としたことを特徴とするごみ桶。
【請求項１４】
請求項１１に記載のごみ桶において、
前記取っ手は、その一側には二つの枢接部が形成され、その二つの枢接部は本体の嵌付け部に枢設することが可能である構成としたことを特徴とするごみ桶。
【請求項１５】
請求項１４に記載のごみ桶において、
前記本体の嵌付け部の取っ手の二つの枢接部に相対する個所には二つの枢孔が設けられ、その二つの枢孔は二つの枢接部の枢設に供される構成としたことを特徴とするごみ桶。
【発明の詳細な説明】
【技術分野】
【０００１】
本発明はごみ桶に係り、特に取っ手及びごみ袋固定機能を兼ねるごみ桶に関する。
【背景技術】
【０００２】
図１及び図２は一般の伝統的ごみ桶５を示す。ごみ桶５は、蓋６と、そのごみ桶５内に置かれる内桶１とを有し、内桶１には端口２と桶身３があり、その桶身３にごみが入れられる。
【０００３】
内桶１はごみを入れる機能があるが、ごみ袋４を取り付ける場合、ごみ袋４は内桶１を覆ってごみ袋４の口部はごみ桶５の上部から外へ反転し、こうするとごみ桶全体の美観が破壊される。また、ごみ袋４に重いごみが入れられ、そのごみ袋４を直接取り上げるとごみ袋４が破裂することが起こり、汚れは内桶１に漏れ出して清掃しにくくなる。そのために人々は内桶１を収集地まで持ち出し、それから封したごみ袋４をこぼし出す。ところが、この場合、使用者は両手で同時に内桶１の端口２の両側を持たないと、その重いごみを入れた内桶１を収集地までに移動することができなく、それは歩くだけにもかなり不便であり、且つ、よくない移動方式は使用者に傷害をもたらす可能もあり、これは使用上の大きな欠点であるので、それを改善する必要がある。
【発明の開示】
【発明が解決しようとする課題】
【０００４】
本発明「取っ手及びごみ袋固定機能を兼有するごみ桶」が解決しようとする技術問題は、その周知の構造の内桶にごみ袋を取り付ける場合、ごみ袋は内桶を覆ってごみ袋の口部はごみ桶の上部から外へ反転し、こうするとごみ桶全体の美観が破壊される。また、ごみ袋に重いごみが入れられ、そのごみ袋を直接取り上げるとごみ袋が破裂することが起こり、汚れは内桶に漏れ出して清掃しにくくなる。そのために人々は内桶を収集地まで持ち出し、それから封したごみ袋をこぼし出す。ところが、この場合、使用者は両手で同時に内桶の端口の両側を持たないと、その重いごみを入れた内桶を収集地までに移動することができなく、それは歩くだけにもかなり不便であり、且つ、よくない移動方式は使用者に傷害をもたらす可能もあり、これは使用上の大きな欠点であるので、それを改善する必要がある。
【０００５】
本発明は、上記課題を解決したごみ桶を提供することを目的とする。
【課題を解決するための手段】
【０００６】
本発明は、桶状であって、端口があり、その端口の両側には二つの互いに対称に設置された結合部が設けてある本体と、
該本体の端口に枢設してある二つの取っ手と、
前記本体の結合部と取っ手の間に取り付けられ、凹溝が設けられ、その凹溝は本体の結合部に結合されている二つの嵌付け具とを有し、
前記二つの取っ手が、上へ回されて寄せ合わせることによって使用者が前記本体を持ち上げるときのハンドルとして機能する他に、互いに離れるように外側に回して倒すことによってごみ袋の固定具として使用される構成としたことを特徴とする。
【発明の効果】
【０００７】
二つの取っ手は本体の端口に枢設されてあり、その二つの嵌付け具はそれぞれ本体の結合部と取っ手の間に設けられてあり、嵌付け具には凹溝が設けられ、その凹溝は本体の結合部に結合されてある。これにより、その二つの取っ手は、使用者が本体を持ち上げるのに利用できる他に、ごみ袋の固定具として使用することができる。
【発明を実施するための最良の形態】
【０００８】
次に本発明の実施の形態について説明する。
【実施例１】
【０００９】
図３は本発明の実施例１になるごみ桶を示す。図３に示すように、ごみ桶は、本体１０と、二つの取っ手２０と、二つの嵌付け具３０とを有する。本体１０は、底部１１と、端口１２とを有し、その底部１１と端口１２との間には桶壁１３が形成されてある。嵌付け具３０は本体１０の端口１２と取っ手２０との間に取り付けられ、その二つの取っ手２０は、使用者が本体１０を持ち上げる場合に握るハンドルとして使用される他に、ごみ袋の口を開いてごみ袋の口の部分を本体１０の端口１２に固定する固定具としても使われる。
【００１０】
図４は取っ手２０の取り付け部分の拡大分解斜視図であり、図５はその部分の拡大断面図である。図４及び図５を参照するに、本体１０の端口１２の両端個所には、二つの結合部１４が互いに対称に設置されて設けてある。結合部１４は縦方向の長い突起状であり、桶壁１３の内側から少々突起して調整部１５が形成してある。結合部１４にはその上端側に更に孔１６が形成してあり、この孔１６はねじ１７の取り付けに供され、ねじ１７はナット１８によって本体１０の結合部１４に締め付けられる。
【００１１】
その二つの取っ手２０は、それぞれ本体１０の端口１２の個所に枢設されて使用者の握り持ちに供され、又はごみ袋の固定具にも使われる。取っ手２０の形状は、本体１０の端口１２の輪郭に似ており、取っ手２０の両端にはそれぞれ枢接部２１が形成してある。
【００１２】
嵌付け具３０は、本体１０の結合部１４と取っ手２０との間に取り付けられ、取っ手２０を定位置に定める効果を有する。嵌付け具３０の一側には縦方向に延伸する凹溝３１が設けられ、この凹溝３１は本体１０の結合部１４に取り付けられる。凹溝３１には嵌当て部３２があり、その嵌当て部３２はちょうど結合部１４の調整部１５と接触して嵌付け具３０はしっかりと結合部１４に定位置される。嵌付け具３０の凹溝３１と異なる一側にはその嵌付け具３０を貫通する孔３３が設けられ、その孔３３は結合部１４の孔１６に対応し、ねじ１７は孔１６と孔３３とを通され、ナット１８によってその嵌付け具３０を本体１０の結合部１４に締め付け、その孔３３の周辺には階段３４が形成されてあり、その階段３４はナット１８の一部の収容に供される。その嵌付け具３０の両端にはそれぞれ枢孔３５が設けられ、その枢孔３５は取っ手２０の枢接部２１の枢設に供される。
【００１３】
図６は図３のごみ桶の最適の使用状態を示す。図６に示すように、使用者が本体１０を持ち上げる場合、その本体１０の結合部１４に枢接されてある二つの取っ手２０を上へ回し、二つの取っ手２０を寄せ合わせることによって、ハンドルとなってこれを握って持つことができ、簡易に本体１０をごみ桶６０の中から持ち上げることが出来、使用は極めて便利である。
【００１４】
図７は図３のごみ桶の別の最適の使用状態を示す。図８は図７の一部を拡大して示す。図７に示すように、本体１０にごみ袋を取り付ける場合、その取っ手２０はごみ袋の支え構造にもなる。ごみ袋の口部を二つの取っ手２０に取り付け、且つ、二つの取っ手２０を互いに離れるように外側に回して倒すようにして本体１０の桶壁１３に寄せ付ければ、図８に併せて示すように、ごみ袋の口が開いた状態で、ごみ袋の口の部分が取っ手２０と本体１０の内面との間に挟み込まれて安定に固定することができる。本体１０内にあるごみ袋はごみ桶６０全体の外観を影響することなく、美観の効果がある。ごみ袋を取り外す場合、その二つの取っ手２０を上へ撥ね返し、ごみ袋の口部を二つの取っ手２０から離脱するだけでよく、使用はかなり簡単便利である。
【００１５】
図９及び図１０は取っ手２０の本体１０への取り付けの構造の別の実施例を示す。図９及び図１０を参照するに、本実施例と前記実施例の差異は、本体１０とその二つの取っ手２０との間の結合方式の違いである。その本体１０の端口１２の個所には嵌付け部４０が一体成型され、その嵌付け部４０は本実施例に於いて本体１０の桶壁１３の内側に突起して設けられている。直接桶壁１３の外側に成型してもよい。その嵌付け部４０には二つの枢孔４１が設けられ、その二つの枢孔４１はそれぞれ二つの取っ手２０の枢接部２１の枢設に供される。その本体１０に一体成型された嵌付け部４０によって部品の組み立て時間の減少、生産力の向上と生産コストの低減という利点があり、更に本体１０の嵌付け部４０にはよりよい強度が得られる。
【図面の簡単な説明】
【００１６】
【図１】従来のごみ桶を示す図である。
【図２】従来のごみ桶を示す図である。
【図３】本発明の実施例１になるごみ桶を示す図である。
【図４】取っ手の取り付け部分の拡大分解斜視図である。
【図５】取っ手の取り付け部分の拡大断面図である。
【図６】図３のごみ桶の最適の使用状態を示す図である。
【図７】図３のごみ桶の別の最適の使用状態を示す図である。
【図８】図７の一部を拡大して示す図である。
【図９】取っ手の取り付けの構造の別の実施例の拡大分解斜視図である。
【図１０】図９の取り付けの構造の断面図である。
【符号の説明】
【００１７】
１０  本体
１１  底部
１２  端口
１３  桶壁
１４  結合部
１５  調整部
１６  孔
１７  ねじ
１８  ナット
２０  取っ手
２１  枢接部
３０  嵌付け具
３１  凹溝
３２  嵌当て部
３３  孔
３４  階段
３５  枢孔
４０  嵌付部
４１  枢孔
６０  ごみ桶
【図１】
2006264811.tif 000003
【図２】
2006264811.tif 000004
【図３】
2006264811.tif 000005
【図４】
2006264811.tif 000006
【図５】
2006264811.tif 000007
【図６】
2006264811.tif 000008
【図７】
2006264811.tif 000009
【図８】
2006264811.tif 000010
【図９】
2006264811.tif 000011
【図１０】
2006264811.tif 000012